(57)【要約】【課題】蝶番を介して取り付けたドアや扉に狂いが生じた時に、容易に調整することができる高さレベル調整用座金を提供することにある。【解決手段】ドア７や扉に設けた蝶番４の一対の羽根板５，６の筒部８，１１の外径より大なる大きさで、上記の両筒部８，１１を連結する軸ピン１２に側方から外嵌可能で、中心部にドア７側および／またはドア取り付け用部３材側の羽根板６（５）の筒部１１（８）の一端部を係合する凹部１３を有し、この凹部１３から外周縁１４にかけて少なくとも１箇所に、上記の羽根板６（５）の端部を係合する凹溝部１５を形成した。【選択図】  図１
2006028993.tif 000002
【特許請求の範囲】
【請求項１】
ドア取り付け用部材側にドア用蝶番を構成する一方の筒部付き羽根板を固着し、他方の筒部付き羽根板をドア側に固着し、ドア取り付け用部材側の羽根板の筒部と、ドア側羽根板の筒部とを軸ピンで連結してドアを回動可能にし、ドアの高さレベルに狂いが生じたときに、ドア取り付け用部材側の羽根板の筒部とドア側の羽根板の筒部との間から、上記の軸ピンに外嵌し、ドア側の羽根板を介してドアを持ち上げてドアの高さレベルを調整する座金であって、
上記の座金は、上記の筒部の外径より大なる大きさで、側方から上記の軸ピンに外嵌可能なように一部を開放した平板状であって、中心部にドア側および／またはドア取り付け用部材側の羽根板の筒部の一端部を係合する凹部を有し、かつ、この凹部から外周縁にかけて少なくとも１箇所に、上記の羽根板の端部を係合する凹溝部を形成したことを特徴とする高さレベル調整用座金。
【請求項２】
座金は、馬蹄形またはＵ字形であることを特徴とする請求項１に記載の高さレベル調整用座金。
【発明の詳細な説明】
【技術分野】
【０００１】
この発明は、各種のドアや扉の高さを調整する高さレベル調整用座金に関するものである。
【背景技術】
【０００２】
一般に玄関等のドアは、玄関口に設けたドア取り付け用部材に蝶番を介して開閉自在に取り付けてある。
【０００３】
ところが、台風や地震、建築時の建物全体や材料の狂い(歪みや材料変形等)や、長期間の建物の使用による狂いによって、ドアの下端が玄関口の下部等に接触してドアの開閉に支障をきたすことがある。
【０００４】
そこで、従来は図９に示すような平板輪状の座金１０１を使用してドアの高さレベルを調整している。すなわち、図１０に示すようにドア取り付け用部材１０２側に取り付けた蝶番１０３の一方の筒部付き羽根板１０6と、ドア１０５側に取り付けた他方の筒部付き羽根板１０4とは、ドア取り付け用部材１０２側の羽根板１０６の筒部１０７から上方に突出している軸ピン１０８に、ドア１０５側の羽根板１０４の筒部１０９を上から嵌め合わせて、ドア１０５をドア取り付け用部材１０２に開閉自在に取り付ける。
【０００５】
そのため、上記の平板輪状の座金１０１を用いてドア１０５の高さレベルを調整する場合は、図示のように一旦ドア１０５を持ち上げてドア１０５側の羽根板１０４の筒部１０９を、ドア取り付け用部材１０２側の羽根板１０６の筒部１０７に嵌着した軸ピン１０８から抜き取って、ドア１０５をドア取り付け用部材１０２から外し、その後に、上記の軸ピン１０８に平板輪状の座金１０１をはめ込んで取り付け、再び外したドア１０５を持ち上げて、ドア１０５側の羽根板１０４の筒部１０９を上記の軸ピン１０８に平板輪状の座金１０１の上からはめ込まねばならなかった。この作業では、重いドア１０５を持ち上げてドア取り付け用部材１０２から外したり戻したりしなければならず、ドア１０５の高さレベル調整に時間もかかり体力もいるため大変であった。
【０００６】
そこで、従来は図８に示すような平板Ｕ字状の座金１１０を用いてドアの高さレベル調整を行っている。この平板Ｕ字状の座金１１０の場合は、ドア１０５(図１０参照)を少し持ち上げて、上記したドア１０５側の羽根板１０４の筒部１０９と、ドア取り付け用部材１０２側の羽根板１０６の筒部１０７との間に、僅かの隙間を開けて軸ピン１０８の一部を露出させ、この露出した軸ピン１０８に対して側方（横）から上記のＵ字状の座金１１０をはめ込み、再び持ち上げたドア０５を下ろして上記の両筒部１０７，１０９でこの座金１１０を挟み、座金１１０の厚み分だけドア１０５の高さレベルを上げて、レベル調整を行っている。
【０００７】
しかしながら、この平板Ｕ字状の座金１１０では、地震等の振動により、或いは長期間に亘ってドアを開閉使用している間に、位置ズレを起こして下に脱落してしまうといった問題があった。
【０００８】
なお、座金に関する参考文献として、下記の公報を例示しておく。
【特許文献１】特開２００３−９０３２０号公報
【特許文献２】特開平９−２８０２４号公報
【発明の開示】
【発明が解決しようとする課題】
【０００９】
本発明は上記のような問題点に鑑みて開発されたものである。その目的は、蝶番を介して取り付けたドアや扉に狂いが生じた時に、容易に調整することができる高さレベル調整用座金を提供することにある。
【課題を解決するための手段】
【００１０】
本発明は上記のような目的を達成するために、次のような構成にしてある。すなわち、請求項１記載の本発明の高さレベル調整用座金は、ドア取り付け用部材側にドア用蝶番を構成する一方の筒部付き羽根板を固着し、他方の筒部付き羽根板をドア側に固着し、ドア取り付け用部材側の羽根板の筒部と、ドア側羽根板の筒部とを軸ピンで連結してドアを回動可能にし、ドアの高さレベルに狂いが生じたときに、ドア取り付け用部材側の羽根板の筒部とドア側の羽根板の筒部との間から、上記の軸ピンに外嵌し、ドア側の羽根板を介してドアを持ち上げてドアの高さレベルを調整する座金であって、上記の座金は、上記の筒部の外径より大なる大きさで、側方から上記の軸ピンに外嵌可能なように一部を開放した平板状であって、中心部にドア側および／またはドア取り付け用部材側の羽根板の筒部の一端部を係合する凹部を有し、かつ、この凹部から外周縁にかけて少なくとも１箇所に、上記の羽根板の端部を係合する凹溝部を形成したことを特徴とする構成である。
【００１１】
また、請求項２記載の高さレベル調整用座金は、請求項１に記載の高さレベル調整用座金の構成において、座金は、馬蹄形またはＵ字形であることを特徴とする構成である。
【発明の効果】
【００１２】
上記のような構成の高さレベル調整用座金によれば、ドアを少し持ち上げて、一方の羽根板の筒部と、他方の羽根板の筒部との隙間から軸ピンに外嵌し、かつ、筒部用凹部および凹溝部に一方または両方の筒部および羽根板を係合することにより、簡単にドアの高さレベル調整をすることができるとともに、座金が回転方向に移動したり水平方向に移動して取り付け位置から脱落してしまうこともなく、構成簡単で、長期間、ドアの調整高さレベルを保持し、円滑なドアの開閉を維持することができる。
【００１３】
また、座金を馬蹄形またはＵ字形にすることによって、指で摘みやすく簡単に所定箇所に嵌め込みすることができ、取り付け作業を迅速に行うことができる。
【発明を実施するための最良の形態】
【００１４】
以下、本発明を実施するための最良の形態を図に基いて説明する。
図１〜図７は本発明にかかる高さレベル調整用座金に関する図であって、例えば玄関等の入口開口部２(図６、図７参照)に設けた枠部材であるドア取り付け用部材３には、ドア用蝶番４(図３参照)を構成する一方の筒部付き羽根板５を複数のネジ９で固着する。また、他方の筒部付き羽根板６は、ドア７側にネジ１０で固着する。そして、ドア取り付け用部材３側の羽根板５の筒部８とドア側羽根板６の筒部１１とは、軸ピン１２を挿入して連結する。このようにしてドア７は、ドア取り付け用部材３に回動自在に取り付けて使用する。使用している間にドア７の高さレベルに狂いが生じたときには、ドア７を少し持ち上げて、上記の両筒部８，１１の間に隙間をつくり、この隙間から上記の軸ピン１２に本発明にかかる座金１を外嵌し、座金１の厚さ分だけドア７を上げてドア７の高さレベルを調整する。
【００１５】
この座金１(図１〜図３参照)は、上記の筒部８，１１の外径より大なる大きさで、ドア７の側方から上記の軸ピン１２に外嵌可能なように一部を開放した馬蹄形またはＵ字形の金属平板状の部材である。なお、厚さは特に限定されるものではないが数ｍｍ位が好ましい。
【００１６】
さらに、この座金１は、中心部にドア７側の羽根板６の筒部１１の一端部１１ａを係合するＵ字状または一部切欠円状の凹部１３を有し、この凹部１３から外周縁１４にかけて図示の例では２箇所に、上記の羽根板６の端部６ａを係合する凹溝部１５を有している。
【００１７】
上記の凹部１３と凹溝部１５とは、面一で繋がっていて、座金１の表面１ａと段差になっている。
【００１８】
なお、上記したように一般にドア取り付け用部材３側(図３参照)に取り付けられた羽根板５の筒部８には、軸ピン１２の半分位を挿入して嵌着してある。そして、軸ピン１２は筒部８から上に突出した状態となっていて、上からドア７を下げてドア７側の羽根板６の筒部１１を、この軸ピン１２にはめ込んでドア取り付け用部材３側の羽根板５と、ドア７側の羽根板６とを連結する。
【００１９】
次に、このような構成からなる本発明の座金１を使って、上記のドア７の高さレベルに狂いが生じた場合のレベル調整について説明する。
【００２０】
ドア用蝶番４を介してドア取り付け用部材３に連結されたドア７の下端が、地震や台風や建物の狂い等によって床に接触してドア７の開閉に支障をきたすようになった場合、先ずドア７を少し持ち上げる(図４参照)。このことによりドア７側の羽根板６の筒部１１は、ドア取り付け用部材３側の羽根板５の筒部８から突出している軸ピン１２に沿って少し上方に移動する。このことにより隙間のできたドア７の下端と床の間には、当て板等を入れてドア７を少し持ち上げた状態に保持させておく。
【００２１】
次にドア７側の羽根板６の筒部１１と、ドア取り付け用部材３側の羽根板５の筒部８との隙間(図４、図１参照)から、凹部１３および凹溝部１５側を上にして座金１を軸ピン１２に外嵌する。さらに、この座金１を少し回して、２箇所に形成した凹溝部１５の内、どちらか一方の凹溝部１５をドア７側の羽根板６の下端部６ａに係合する位置にする。
【００２２】
このようにした後に上記した当て板等を外し、ドア７を降下させる。ドア７の降下に伴なってドア７側の羽根板６も筒部１１も降下し、この筒部１１の下端部１１ａ(図５参照)は、上記した座金１の中心部の凹部１３に係合するとともに、羽根板６の下端部６ａも座金１の凹溝部１５に係合する。
【００２３】
このように、座金１をドア取り付け用部材３側の羽根板５の筒部８と、ドア７側の羽根板６の筒部１１との隙間に設けることによって、ドア７のレベルを少し上げることができ、ドア７と床との接触を解消してスムーズにドア７の開閉を行うことができるようになる。
【００２４】
また、上記の座金１は、凹部１３および凹溝部１５に、ドア７側の筒部１１の下端部１１ａおよび羽根板６の下端部６ａが嵌り込んで係合するため、回転方向に回ることができなくなり、また、水平方向に移動が困難になり、かつドア７の重みで両筒部８，１１間に挟み込まれて脱落してしまうといったことがない。
【００２５】
それ故にドア７の高さレベル調整に本発明の座金１を使用することにより、簡単にレベル調整ができ、かつ、地震等で建物が揺れたりしても、蝶番４に取り付けた座金１が簡単に脱落してしまうこともない。
【００２６】
なお、本発明の座金は、図示の例に限定されるものではなく、凹溝部１５は１箇所でも３箇所以上に形成するも自由であり、また、座金の両面に凹部１３および凹溝部１５を形成し、両方の羽根板５、６が両面の凹部１３および凹溝部１５に嵌り込むようにしてもよい。また図示の座金１の使用にあたっては、凹部１３および凹溝部１５を形成した面を下向きにして軸ピン１２に外嵌し、上記の筒部用凹部および凹溝部に、ドア取り付け用部材３側の筒部８と羽根板５を係合させるようにしてもよい。
【００２７】
また、本発明の座金は、ドア用の蝶番に使用限定されるものではなく、蝶番によって開閉自在な門扉や、金庫の扉等にも使用できるものである。さらには、本発明の座金は、高さレベルの調整用としての使用以外にも、例えば電源コードを接続してバッテリー等の端子部分に取り付けることにより、通電用の座金(端子)として使用することもできる。
【図面の簡単な説明】
【００２８】
【図１】本発明の一例の座金の平面図である。
【図２】本発明の一例の座金を示す図であり、（ａ）は全体斜視図、（ｂ）は（ａ）のＡＡ矢視の断面図、（ｃ）は（ａ）のＢＢ矢視の断面図である。
【図３】本発明の説明におけるドア取り付け用部材とドアとに、蝶番の各筒部付き羽根板を取り付け、ドアを一方の筒部の軸ピンから外した状態の説明図である。
【図４】本発明の一例の座金を軸ピンに取り付ける時の説明図である。
【図５】本発明の一例の座金を軸ピンに取り付けた状態の説明図である。
【図６】蝶番を介してドアを玄関等のドア取り付け用部材に取り付けた状態の表から見たドア半開き状態の説明図である。
【図７】蝶番を介してドアを玄関等のドア取り付け用部材に取り付けた状態の裏から見た説明図である。
【図８】従来の一例の座金の斜視図である。
【図９】従来の他の例の座金の斜視図である。
【図１０】従来の説明におけるドア取り付け用部材とドアとに、蝶番の各筒部付き羽根板を取り付け、ドアを一方の筒部の軸ピンから外した状態の説明図である。
【符号の説明】
【００２９】
１      高さレベル調整用座金
３      ドア取り付け用部材
４      ドア用蝶番
５      筒部付き羽根板
６      筒部付き羽根板
７      ドア
８      筒部
１１    筒部
１２    軸ピン
１３    凹部
１４    外周縁
１５    凹溝部
【図１】
2006028993.tif 000003
【図２】
2006028993.tif 000004
【図３】
2006028993.tif 000005
【図４】
2006028993.tif 000006
【図５】
2006028993.tif 000007
【図６】
2006028993.tif 000008
【図７】
2006028993.tif 000009
【図８】
2006028993.tif 000010
【図９】
2006028993.tif 000011
【図１０】
2006028993.tif 000012